(57)【特許請求の範囲】
【請求項１】
人の有無を検知する検知部と該検知部の検知結果を検知信号として送信アンテナから送信するセンサ用送信部とを有するセンサ部と、
光源と前記センサ部から送信される前記検知信号を受信アンテナで受信する照明側受信部と前記光源及び照明側受信部を制御する制御部とを有する照明器具を複数有し、
前記センサ部側からの検知信号を受信して制御部にて光源の光の出力を制御する照明システムであって、
前記センサ部と前記照明器具は、その一部が天井を貫通するように設けられ、
前記センサ用送信部の送信アンテナは、前記天井より上部に設けられ、
前記照明側受信部の受信アンテナは、前記照明器具内において前記天井より上部に備えられ、該照明器具外部と連通され、前記照明器具の上面に設けられた開口部に対応して設けられることを特徴とする照明システム。
【請求項２】
請求項１に記載の照明システムにおいて、
前記センサ部はセンサ用送信部による送信機能のみを有し、前記照明器具は照明側受信部による受信機能のみを有することを特徴とする照明システム。
【発明の詳細な説明】
【技術分野】
【０００１】
本発明は、照明システムに関するものである。
【背景技術】
【０００２】
近年、オフィス等の室内において、省エネルギー（省電力化）や利便性の観点から、例えば特許文献１に示すような照明装置の光の出力を人の有無で制御する照明システムが導入されている。
【０００３】
特許文献１の照明システムでは、人の有無を検知する検知部とこの検知部の検知結果に応じて光の出力が制御部によって調整される照明器具とを備えている。そして、検知部からの検知結果は無線通信によって照明器具側（制御部）に伝達され、制御部はこの検知結果に基づいて照明器具の制御を行うようになっている。また、検知部の検知結果を送信するための送信アンテナと、その検知結果を受信するための受信アンテナとは、天井裏（天井より上）に載置され、室内に比べて無線伝送通信の弊害となる障害物（他の通信電波等）が少なく、安定した通信が可能となっている。
【先行技術文献】
【特許文献】
【０００４】
【特許文献１】特開２００５−５１７２８号公報
【発明の概要】
【発明が解決しようとする課題】
【０００５】
ところで、上記のような照明システムでは、通信用のアンテナを天井裏（天井より上）に配置することで、通信の安定性を向上させているが、受信アンテナが照明器具の外部に露出しているため、メンテナンスや設置時にアンテナを損傷させる虞がある。
【０００６】
本発明は、上記課題を解決するためになされたものであって、その目的は、照明器具の受信アンテナの安全性を確保しつつ安定して通信を行うことができる照明システムを提供することにある。
【課題を解決するための手段】
【０００７】
上記課題を解決するために、本発明の照明システムは、人の有無を検知する検知部と該検知部の検知結果を検知信号として送信アンテナから少なくとも送信するセンサ用送信部とを有するセンサ部と、光源と前記センサ部から送信される前記検知信号を受信アンテナで受信する照明側受信部と前記光源及び照明側受信部を制御する制御部とを有する照明器具を複数有し、前記センサ部側からの検知信号を受信して制御部にて光源の光の出力を制御する照明システムであって、前記センサ部と前記照明器具は、その一部が天井を貫通するように設けられ、照明側受信部の受信アンテナは、前記照明器具内において前記天井より上部に備えられ、該照明器具外部と連通され、前記照明器具の上面に設けられた開口部に対応して設けられることを特徴とする。
【０００８】
上記構成において、センサ部はセンサ用送信部による送信機能のみを有し、前記照明器具は照明側受信部による受信機能のみを有することが好ましい。
【発明の効果】
【０００９】
本発明によれば、照明器具の受信アンテナの安全性を確保しつつ安定して通信を行うことができる照明システムを提供することができる。
【図面の簡単な説明】
【００１０】
【図１】本実施形態の照明システムについて説明するための概略構成図である
【図２】照明器具及びセンサ部の配置について説明するための説明図である。
【図３】（ａ）は照明器具の概略構成を示すブロック図であり、（ｂ）はセンサ部の概略構成を示すブロック図であり、（ｃ）は操作器の概略構成を示すブロック図である。
【図４】（ａ）は照明器具に備えられるアンテナの配置について説明するための上面図であり、（ｂ）は照明器具に備えられるアンテナの配置について説明するための断面図である。
【発明を実施するための形態】
【００１１】
以下、本発明を具体化した一実施形態を図面に従って説明する。
図１に示すように、本実施形態の照明システムは、複数の照明器具１１と、複数のセンサ部２１と、操作器３１とを備える。
【００１２】
図３（ａ）に示すように照明器具１１は、室内Ｒを照らす光源１２を備え、点灯回路１３と電気的に接続される。この点灯回路１３はこの点灯回路１３を制御する制御部１４と電気的に接続される。また、制御部１４は、他の機器から送信される信号を受信する受信用の無線部１５を備え、この信号に応じて前記点灯回路１３を制御して光源１２の光の出力を制御するようになっている。照明器具１１は、図２に示すように、光源１２の点灯部位以外が室内Ｒの室内天井ＳＴよりも鉛直方向上側（天井裏）に配置され、無線部１５を構成するアンテナ１５ａが室内天井ＳＴよりも上側に配置されるようになっている。
【００１３】
また、このアンテナ１５ａは、図４（ａ）（ｂ）に示すように照明器具１１の金属製の筐体１１ａ内に備えられる。ここで、筐体１１ａには無数の貫通孔１１ｂが形成され、前記アンテナ１５ａは前記貫通孔１１ｂのいずれかから視認可能な位置に設けられている。このため、アンテナ１５ａ側への無線通信用（受信用）の信号が前記筐体１１ａによって遮蔽されるといったことが抑えられている。なお、前記貫通孔１１ｂは様々な規格に沿って予め形成した照明器具１１を壁や天井ＳＴに取り付けるための孔の内で余った孔であることが好ましい。
【００１４】
図３（ｂ）に示すように、センサ部２１は、室内Ｒ内の人の有無を検知するセンサ本体２２を備え、このセンサ本体２２を制御する制御部２３と電気的に接続される。また、制御部２３は、前記センサ本体２２からの検知信号を前記照明器具１１の無線部１５に送信する送信用の無線部２４と電気的に接続され、前記検知信号を前記無線部２４を介して照明器具１１側に出力するようになっている。また、センサ部２１は、図２に示すようにセンサ本体２２の検出面以外が室内Ｒの天井ＳＴよりも鉛直方向上側（天井裏）に配置され、無線部２４を構成するアンテナ２４ａが天井ＳＴよりも上側に配置されるようになっている。
【００１５】
図３（ｃ）に示すように、操作器３１は、室内Ｒに備えられて室内Ｒの人による操作が可能な操作部３２を備える。操作部３２は、制御部３３と電気的に接続され、この制御部３３は操作部３２の操作ボタンに応じて信号を無線部３４に出力する前記照明器具１１の無線部１５に送信する無線部３４とを備える。
【００１６】
次に、本実施形態の照明システムの動作例（作用）について説明する。
室内Ｒに人がドア等を開けて入った場合、センサ本体２２はその旨を検知して制御部２３に対して検知信号が出力する。制御部２３は、検知信号が入力されるとその信号を無線部２４のアンテナ２４ａから送信する。アンテナ２４ａからの検知信号は照明器具１１側の無線部１５のアンテナ１５ａで受信され、受信した検知信号に基づいて照明器具１１の制御部１４は点灯回路１３を介して光源１２を非点灯状態から点灯状態に切り替える。
【００１７】
一方、室内Ｒから人が外にでた場合、センサ本体２２はその旨を前記検知信号の出力を停止させる。制御部２３では、例えば前記検知信号が入力されない時間が所定時間無かった場合、前記アンテナ２４ａからの信号の送信を停止させるようになっている。すると、受信側のアンテナ１５ａによる検知信号の受信ができないため、照明器具１１側ではアンテナ１５ａによって検知信号が所定時間受信できない場合、制御部１４は点灯回路１３を介して光源１２を非点灯状態に切り替える。
【００１８】
また、操作器３１の操作部３２が操作されると、制御部３３は、無線部３４からその操作内容に応じた信号を送信する。無線部３４からの信号は照明器具１１側の無線部１５のアンテナ１５ａで受信され、受信した信号に基づいて照明器具１１の制御部１４は点灯回路１３を介して光源１２を非点灯状態と点灯状態とを切り替える。
【００１９】
次に、本実施形態の特徴的な効果を記載する。
（１）本実施形態の照明システムは、人の有無を検知するセンサ本体２２とセンサ本体２２の検知結果を検知信号として送信用のアンテナ２４ａから送信する無線部２４とを有するセンサ部２１を備える。また照明システムは、光源１２とセンサ部２１から送信される検知信号を受信用のアンテナ１５ａで受信する無線部１５と光源１２及び無線部１５を制御する制御部１４とを有する照明器具１１を複数有する。そして、センサ部２１と照明器具１１は、その一部が室内天井ＳＴを貫通するように設けられ、照明器具１１側の無線部１５のアンテナ１５ａは、照明器具１１（筐体１１ａ）内に備えられ、照明器具１１外部と連通される貫通孔１１ｂに対応して設けられる。このような構成の照明システムでは、照明器具１１内にアンテナ１５ａが備えられるため、アンテナ１５ａの損傷を抑えることができる。またアンテナ１５ａの取付位置に貫通孔１１ｂが形成されるため、照明器具１１（筐体１１ａ）によって無線通信用の信号が遮蔽されることが抑えられて、安定して照明器具１１及びセンサ部２１間で無線通信を行うことができる。
【００２０】
（２）センサ部２１はセンサ用送信部としての無線部２４による送信機能のみを有し、前記照明器具１１は照明側受信部としての無線部１５による受信機能のみを有するため、信号を処理する制御部１４への過度な負担を抑えることができる。
【００２１】
（３）アンテナ１５ａが設置される貫通孔１１ｂは様々な規格に沿って予め形成した照明器具１１を壁や天井ＳＴに取り付けるための孔の内で余った孔であるため、別途貫通孔を形成する必要がない。
【００２２】
尚、本発明の実施形態は、以下のように変更してもよい。
・上記実施形態では、センサ部２１はセンサ用送信部としての無線部２４による送信機能のみを有し、照明器具１１は照明側受信部としての無線部１５による受信機能のみを有することとしたが、これに限らない。センサ部２１に受信機能を備え、照明器具１１に送信機能を備える構成としてもよい。
【００２３】
・上記実施形態では、センサ部２１のアンテナ２４ａについて特に言及していないが、アンテナ２４ａを照明器具１１のアンテナ１５ａ同様に筐体内に備えて、この筐体に貫通孔（開口部）を形成する構成としてもよい。また、筐体外にアンテナ２４ａを露出させる構成を採用してもよい。
【符号の説明】
【００２４】
１１…照明器具、１１ａ…筐体、１１ｂ…貫通孔（開口部）、１２…光源、１４…制御部、１５…無線部（照明側受信部）、１５ａ…アンテナ（受信）、２１…センサ部、２２…センサ本体（検知部）、２４…無線部（センサ用送信部）、２４ａ…アンテナ（送信アンテナ）、ＳＴ…室内天井（天井）。
【図１】
0005828078.tif 000002
【図２】
0005828078.tif 000003
【図３】
0005828078.tif 000004
【図４】
0005828078.tif 000005